(57)【要約】【課題】操作者が余白量を再設定しなくても、シート搬送方向を変えて画像形成した場合に余白に違いが生じないようにすることができる画像形成装置を提供する。【解決手段】装置本体１００Ａは、搬送される第１シートに第１画像を形成し、第１シートとは搬送方向に対し９０度回転させた状態で搬送される第２シートに、第１画像に対して９０度回転させた状態の第２画像を形成する。制御部１０１は、シートの搬送方向を基準とする画像の余白量について、第２画像に対する第２シートの余白を９０度回転させた状態で設定することが可能である。【選択図】図２
2018043376.tif 000002
【特許請求の範囲】
【請求項１】
搬送される第１シートに第１画像を形成し、前記第１シートとは搬送方向に対し９０度回転させた状態で搬送される第２シートに前記第１画像に対して前記９０度回転させた状態の第２画像を形成することが可能な画像形成装置であって、
シートの搬送方向を基準とする画像の余白量について、前記第２画像に対する前記第２シートの余白を前記９０度回転させた状態で設定する設定手段を備える、
ことを特徴とする画像形成装置。
【請求項２】
前記設定手段は、前記第１画像が形成された前記第１シートを前記９０度回転させて前記第２画像が形成された前記第２シートに対応させたときに、前記第１シートの各辺の余白と前記第２シートの各辺の余白とのうち、少なくとも対応する１辺の余白が等しくなるように設定する、
ことを特徴とする請求項１に記載の画像形成装置。
【請求項３】
前記第１シートの各辺について予め決定された余白量を記憶する記憶手段を備え、
前記設定手段は、前記記憶手段により記憶された前記第１シートの余白量に従って、前記第１シートの各辺の余白を設定するとともに、前記記憶手段により記憶された前記第１シートの余白量と、前記第１シートの余白量を前記第２シートに対応させた場合の余白量とを比較し、前記第１画像が形成された前記第１シートを前記９０度回転させて前記第２画像が形成された前記第２シートに対応させたときに対応する辺の余白量のうちで大きい方を前記第２シートの余白量として設定する、
ことを特徴とする請求項１又は２に記載の画像形成装置。
【請求項４】
前記対応させたときに対応する辺の余白量のうちで大きい方を前記第１シートの余白量として再設定する、
ことを特徴とする請求項３に記載の画像形成装置。
【請求項５】
前記第１シートの各辺について余白量を予め決定して前記記憶手段に記憶させる操作を実行可能な操作手段を備える、
ことを特徴とする請求項３又は４に記載の画像形成装置。
【請求項６】
前記設定手段により設定された余白量に応じて前記第１画像及び前記第２画像の各辺をトリミングする画像処理手段を備える、
ことを特徴とする請求項１乃至５のいずれか１項に記載の画像形成装置。
【請求項７】
前記設定手段による余白量の設定を行うかどうかを選択する選択手段を備える、
ことを特徴とする請求項１乃至６のいずれか１項に記載の画像形成装置。
【請求項８】
前記設定手段は、前記第１シートのシート束の出力と前記第２シートのシート束の出力とを交互に行うことでシート間の区切りが分かるようにする回転ソートモードが実行された場合に余白量の設定を行う、
ことを特徴とする請求項１乃至７のいずれか１項に記載の画像形成装置。
【請求項９】
搬送される第１シートに第１画像を形成し、前記第１シートとは搬送方向に対し９０度回転させた状態で搬送される第２シートに前記第１画像に対して前記９０度回転させた状態の第２画像を形成することが可能な画像形成装置に実行させるために、コンピュータが行うシートの搬送方向を基準とする画像の余白の設定方法であって、
前記第２画像に対する前記第２シートの余白を前記９０度回転させた状態で設定する、
ことを特徴とする余白の設定方法。
【発明の詳細な説明】
【技術分野】
【０００１】
本発明は、シートに画像を形成する画像形成装置、及び余白の設定方法に関する。
【背景技術】
【０００２】
画像形成プロセスを実行してシートに画像を形成する画像形成装置が広く使用されている。画像形成装置では、シートの先頭検知誤差、シートの斜行及び位置ずれ、画像形成側の誤差があってもシートの外側にはみ出して画像形成がされないように、画像形成される画像の輪郭に余白が設定される。そしてテストパターンを印刷することで設定した余白量が適切かどうかを目視確認することができる（特許文献１）。
【０００３】
ところで、多部数の印刷を行う際に印刷された部ごとの識別を容易にすべく、奇数部と偶数部とでシート方向を異ならせてシートを積載する回転ソートモードを実行可能な画像形成装置が開発されている（特許文献２）。回転ソートモードを実行する場合、同じサイズで長手方向を９０度異ならせたシート供給が実行される。これに伴い、画像形成装置の制御部は、シートの長手方向に合わせて画像形成する画像を回転させる画像処理を実行する。
【先行技術文献】
【特許文献】
【０００４】
【特許文献１】特開２０００−１９０６０２号公報
【特許文献２】特開２００９−１２９２５５号公報
【発明の概要】
【発明が解決しようとする課題】
【０００５】
典型的な例として、奇数部に属する奇数部シートと偶数部に属する偶数部シートとに対して、同一サイズの縦送りシートと横送りシートとを割り当てて、回転ソートモードを実行する場合を考える。このとき、制御部は、縦送りシートに形成される画像を、横送りシートに合わせて９０度回転させ、縦送りシートに形成される画像と横送りシートに形成される画像との両方に、画像の４辺の余白を設定する。
【０００６】
このとき、画像の４辺の余白量がシート搬送方向を基準にして設定されていると、画像形成された縦送りシートと横送りシートとを同じ方向に揃えて（画像の天地を揃えて）観察した場合に、縦送りシートの画像と横送りシートの画像との間で４辺の余白に違いが生じる可能性がある。このため、特許文献１による方法では、画像の４辺に設定した余白量が適切かどうかをテストパターンを印刷することで目視確認できるようにしている。しかし、縦送りシートの画像と横送りシートの画像との間で４辺の余白に違いが生じないようにするには、縦送りのテストと横送りのテストを行って再設定する手間がかかる。
【０００７】
本発明は、操作者が余白量を再設定しなくても、シート搬送方向を変えて画像形成した場合に余白に違いが生じないようにすることができる画像形成装置、及び余白の設定方法を提供することを目的としている。
【課題を解決するための手段】
【０００８】
本発明の画像形成装置は、搬送される第１シートに第１画像を形成し、前記第１シートとは搬送方向に対し９０度回転させた状態で搬送される第２シートに前記第１画像に対して９０度回転させた状態の第２画像を形成することが可能なものである。そして、シートの搬送方向を基準とする画像の余白量について、前記第２画像に対する前記第２シートの余白を前記９０度回転させた状態で設定する設定手段を備える。
【発明の効果】
【０００９】
本発明によれば、操作者が余白量を再設定しなくても、シート搬送方向を変えて画像形成した場合に余白に違いが生じないようにすることができる画像形成装置、及び余白の設定方法を提供することができる。
【図面の簡単な説明】
【００１０】
【図１】実施の形態１における画像形成装置の構成の説明図である。
【図２】画像形成装置の制御系のブロック図である。
【図３】画像形成装置が設定する余白の説明図である。
【図４】比較例の余白設定方法の説明図である。（ａ）は基準画像、（ｂ）は基準画像を９０度回転させた画像、（ｃ）は基準画像の位置、（ｄ）は基準画像を９０度回転させた画像の位置である。
【図５】実施の形態１の余白設定方法の説明図である。（ａ）は基準画像、（ｂ）は基準画像を９０度回転させた画像、（ｃ）は基準画像の位置、（ｄ）は基準画像を９０度回転させた画像の位置である。
【図６】実施の形態１における回転ソートモード制御のフローチャートである。
【図７】仮設定された余白を調整する制御のフローチャートである。
【図８】実施の形態３における表示部の表示内容の説明図である。
【発明を実施するための形態】
【００１１】
以下、本発明の実施の形態を添付した図面を参照して詳細に説明する。
【００１２】
＜実施の形態１＞
実施の形態１では、回転ソートモードを実行可能な電子写真方式の画像形成装置の実施の形態を説明する。実施の形態１では、シートを縦送りする奇数部シートを収容するカセットとは別に同サイズのシートを横送りする偶数部シートを収容するカセットを設けた実施の形態を説明する。
【００１３】
（画像形成装置）
図１は実施の形態１における画像形成装置の構成の説明図である。図１に示すように、画像形成装置１００は、装置本体１００Ａの上部に画像読取装置２００を備えている。装置本体１００Ａは、シート搬送方向の上流から下流に向かって順に、シート給送部１０、画像形成部２０、定着装置３０、シート排出部４０を配置している。
【００１４】
シート給送部１０は、カセット１１ａ、１１ｂに積載されたシートを画像形成部２０の転写部Ｎ１へ給送する。画像形成部２０は、感光ドラム２１に形成されたトナー像を、転写部Ｎ１を通過するシートに転写する。定着装置３０は、転写部Ｎ１にてトナー像を転写されたシートを加熱及び加圧して画像をシートに定着させる。シート排出部４０は、定着装置３０で画像を定着されたシートを排出ローラ４１で搬送して排出トレイ４２上に積載する。
【００１５】
（画像形成部）
画像形成部２０は、感光ドラム２１の周囲に帯電ローラ２２、露光装置２３、現像装置２４、転写ローラ２５、及びドラムクリーニング装置２６を配置している。感光ドラム２１は、周面に感光層を有して回転する。帯電ローラ２２は、感光ドラム２１の周面を均一な電位に帯電させる。
【００１６】
露光装置２３は、レーザービームを感光ドラム２１の周面に走査して画像の静電潜像を形成する。現像装置２４は、現像ローラ２４ａに現像剤（磁性トナー）を担持させて感光ドラム２１との対向面に搬送し、静電潜像をトナー像に現像する。転写ローラ２５は、感光ドラム２１に当接してトナー像の転写部Ｎ１を形成する。転写ローラ２５は、トナーの帯電極性と反対極性の電圧を印加されて、感光ドラム２１のトナー像を転写部Ｎ１を通過するシートに転写する。
【００１７】
（シート給送部）
カセット１１ａ、１１ｂは、シートＰの収容された向きが９０度異なる以外は同一であるため、カセット１１ａについて説明し、カセット１１ｂに関する重複した説明を省略する。カセット１１ｂにおけるシート検知センサＳ１ｂ、ピックアップローラ１２ｂ、分離ローラ対１３ｂ、給送パスＰＳ１ｂ、給送ローラ対１４ｂは、カセット１１ａに関する各構成と同様に構成されている。
【００１８】
シート検知センサＳ１ａは、カセット１１ａにシートＰが収納されているか否かを検知する。ピックアップローラ１２ａは、カセット１１ａからシートＰを送り出して分離部１３ａへ給送する。分離部１３ａは、搬送方向に回転する搬送ローラに対して反対方向に駆動されたリタードローラを当接させている。分離部１３ａは、最上位のシートに重送される重送シートをカセット１１ａへ引き戻し、重送シートを分離された最上位のシートのみを給送パスＰＳ１ａへ送り出し、給送ローラ１４ａからレジストローラ１５へ搬送する。レジストローラ１５は、シートの斜行を矯正し、感光ドラム２１のトナー像にタイミングを合わせて転写部Ｎ１へシートＰを給送する。レジ前センサＳ２は、シートＰの先端がレジストローラ１５のニップ部に到達するタイミングを検知する。
【００１９】
手差しトレイ１６からシートＰを給送する場合、供給ローラ１７および分離パッド１８によってシートＰを１枚ずつに分離して装置本体１００Ａ内に引き込む。供給ローラ１９は、シートＰを給送ローラ１４ａからレジストローラ１５へ搬送する。レジストローラ１５は、シートＰの斜行を矯正して転写部Ｎ１へ給送する。
【００２０】
（定着装置）
定着装置３０は、いわゆるオンデマンド定着方式であって、熱源のセラミックヒータを嵌め込んだ非回転の支持部材に支持された無端ベルト状の定着ベルト３１に加圧ローラ３２を圧接させることにより、シートのニップ部Ｎ２を形成する。トナー像が転写されたシートＰは、ニップ部Ｎ２に送り込まれて挟持搬送される過程でトナーが溶融して画像がシートＰに定着される。定着センサＳ３は、シートＰの先端がニップ部Ｎ２を抜けたことを検知する。
【００２１】
（両面印刷）
画像形成部２０及び定着装置３０の右側に、再給送部５０が配置されている。再給送部５０は、両面印刷モードにおいてスイッチバックされたシートＰを転写部Ｎ１へ給送する。両面印刷モードでは、１面目に画像形成されたシートＰの先端が定着センサＳ３を抜けたあと、シートＰの後端が排出ローラ４１を抜ける前に排出ローラ４１を停止させ、続いて逆回転させる。これにより、シートＰは、スイッチバックして、先端と後端とを入替えた状態でシート再給送部５０へ進む。
【００２２】
シートＰは、再給送ローラ対５１、５２によって破線で示す再給送パスＰＳ２を搬送され、再給送ローラ対５３を経てレジストローラ１５で停止する。レジストローラ１５は、シートＰの斜行を矯正し、感光ドラム２１のトナー像にタイミングを合わせてシートＰを転写部Ｎ１へ送り出す。転写部Ｎ１を挟持搬送されて２面目にもトナー像を転写されたシートＰは、定着装置３０に搬送され、加熱及び加圧を受けて画像をシートの２面目に定着される。両面に画像が定着されたシートＰは、排出ローラ４１によって排出トレイ４２へ排出される。
【００２３】
（画像読取装置）
画像読取装置２００は、画像読取部２０１の上面に自動原稿搬送装置２０２を後方へ回動して開閉自在に取り付けている。画像読取部２０１は、原稿台ガラス２０４上の原稿の下面の画像を読取走査ユニット２０３により読み取る。読取走査ユニット２０３は、光源から原稿に光を照射し、反射光をイメージセンサにより受光する。画像読取装置２００は、固定読みモードと流し読みモードとを選択して実行可能である。
【００２４】
固定読みモードでは、原稿台ガラス２０４上に載置された原稿の下面の画像を、矢印Ｈ方向へ移動する読取走査ユニット２０３により読み取る。読取走査ユニット２０３は、駆動ベルト２０７に連結され、ガイド軸２０８により矢印Ｈ方向に案内されている。移動駆動モータ２０６の駆動力が駆動ベルト２０７を介して伝達されることにより、読取走査ユニット２０３は、ガイド軸２０８に沿って矢印Ｈ方向に移動する。駆動モータ２０６には、ステッピングモータやＤＣモータ等が用いられる。
【００２５】
流し読みモードでは、プラテンローラ２１５の下方で停止させた読取走査ユニット２０３の上方の流し読みガラス２０５上へ自動原稿搬送装置２０２により原稿を連続的に通過させて、移動する原稿の下面の画像を読み取る。自動原稿搬送装置２０２は、原稿載置部２０９に載置された原稿Ｇをピックアップローラ２１０で取り込み、分離部２１１にて１枚ずつに分離する。
【００２６】
原稿Ｇは、回転を停止しているレジストローラ２１３に当接して斜行を矯正される。レジストローラ２１３は、画像の読み取りタイミングに合わせて原稿Ｇを搬送路ＰＳ３に送り込み、プラテンローラ２１５と流し読みガラス２０５の間を通過させる。プラテンローラ２１５は、原稿Ｇの流し読みガラス２０５の上面から浮き上がり量を規制する。リードローラ２１４、２１６は、プラテンローラ２１５の上流側と下流側とで原稿Ｇをニップして搬送する。画像が読み取られた原稿Ｇは、リードローラ２１６によって反転排出ローラ２１７へ搬送され、反転排出ローラ２１７によって原稿排出部２１８へ排出される。
【００２７】
原稿Ｇの両面を読み取る場合、１面目を読み取られた原稿Ｇを反転排出ローラ２１７にて停止させ、フラッパ２１９によって搬送路を反転搬送路ＰＳ４に切り替える。その後、反転排出ローラ２１７を逆回転させて原稿Ｇを反転搬送路ＰＳ４へ引き戻し、反転搬送ローラ２２１によってレジストローラ２１３までシートＰを搬送する。シートＰは、レジストローラ２１３により搬送路ＰＳ３へ送り込まれ、読取走査ユニット２０３により２面目の画像を読み取られる。
【００２８】
制御部２２０は、読取走査ユニット２０３が受光した光を電気信号に変換し、電気信号に基づいて原稿の画像データを作成する。制御部２２０は、読み取った原稿の画像データを装置本体１００Ａに送る。
【００２９】
（制御装置）
図２は画像形成装置の制御系のブロック図である。図２に示すように、制御部１０１は、ＲＯＭ１１３に記録されたプログラム及びデータをＲＡＭ１１２に保持してＣＰＵ１１１が必要な演算及び処理を実行することにより、装置本体１００Ａの各ユニットを総括的に制御する。制御部１０１は、画像処理部１０３、シート給送部１０、画像形成部２０、定着装置３０、シート排出部４０、シート再給送部５０を制御して、シートを搬送し、電子写真プロセスを実行し、シートに画像を形成する。
【００３０】
制御部１０１は、外部のコンピュータ１１５から送信された画像データ、又は画像読取装置２００により読み取った原稿の画像データを受信して、画像処理部１０３に送信する。制御部１０１は、表示部１０４を通じて画像形成装置１００の状態や警報を表示や音でユーザに通知する。ユーザは、表示部１０４を通じて制御部１０１に情報設定を行い、画像形成の開始／中断を指示する。
【００３１】
画像処理部１０３は、外部のコンピュータ１１５から送信された画像データ、又は画像読取装置２００から送信された画像データに対して、記憶部１０２に設定された余白情報に基づいて余白を付与する。画像処理部１０３は、制御部１０１から受け渡された画像データの画像を、印刷するシートのシート搬送方向に応じて９０度回転させる等、画像データに所定の画像処理を施す。
【００３２】
画像処理部１０３は、画像データを走査線に展開して二値変調した露光信号を生成する。画像処理部１０３は、露光装置２３による画像の書き出し位置を決めて、露光制御信号を生成する。図１に示すように、露光装置２３は、露光信号及び露光制御信号により制御され、画像データに対応したレーザービームを感光ドラム２１に照射して、画像データに対応した静電潜像を感光ドラム２１に形成する。
【００３３】
（余白設定）
図３は画像形成装置が設定する余白の説明図である。図３では、感光ドラム２１の周面を平面に展開して、Ａ４サイズ縦送りシートに形成される画像に設定される余白を図示している。
【００３４】
図３に示すように、感光ドラム２１上のトナー像が形成される領域Ｃと転写部Ｎ１へ搬送されたシートが接する感光ドラム２１上の領域Ｅとはシート搬送方向及びシート幅方向において隙間なく重なり合うことが望ましい。しかし、現実には様々な誤差要因が重なってトナー像の領域Ｃとシートが接する領域Ｅとの間にずれが発生する。そして、トナー像の領域Ｃがシートの外側へはみ出すと、転写ローラ２５にトナーが付着したり、装置本体１００Ａ内にトナーが飛散したりする。このため、転写部Ｎ１に給送されたシートが最大限ずれても、シートが接する領域Ｅの内側に位置する感光ドラム２１上の領域にトナー像が形成されるように、画像（Ｅ）の輪郭に画像形成不可領域Ｄが設定される。
【００３５】
画像形成不可領域Ｄは、装置本体１００Ａの都合で、感光ドラム２１上で画像形成できない領域である。画像形成不可領域Ｄは、シート先端の検知精度が５ｍｍであれば、シート先端の検知が最大限遅れてもトナー像がシートからはみ出さないように、シート搬送方向の先端５ｍｍは画像形成不可というように設定される。
【００３６】
画像形成不可領域Ｄは、工場出荷時の技術担当者又は設置時のサービスマンが装置本体１００Ａごとに測定して、画像の輪郭の４辺に対して個別に幅（シート中央側へ向かう長さ）の基準値（Ｔｍｉｎ／Ｒｍｉｎ／Ｂｍｉｎ／Ｌｍｉｎ）を設定している。
【００３７】
基準値（Ｔｍｉｎ／Ｒｍｉｎ／Ｂｍｉｎ／Ｌｍｉｎ）は、シート搬送方向Ｂに関連付けた画像の各辺に対して最小限の値で設定されている。基準値（Ｔｍｉｎ／Ｒｍｉｎ／Ｂｍｉｎ／Ｌｍｉｎ）は、シート搬送精度、シート先端の検知精度、露光装置２３の精度等に依存して、シート搬送方向の先端及び後端、シート搬送方向に沿った一対の側端に対して個別に付与されている。基準値（Ｔｍｉｎ／Ｒｍｉｎ／Ｂｍｉｎ／Ｌｍｉｎ）は、シート搬送方向Ｂを基準にした画像の各辺に設定される余白において設定可能な幅の最小値である。
【００３８】
さらに製品の実使用環境に応じてサービスマンまたはユーザが、シート搬送方向Ｂを基準にした画像の各辺の余白の設定値（Ｔｓｅｔ／Ｒｓｅｔ／Ｂｓｅｔ／Ｌｓｅｔ）を決めることができる。設定値（Ｔｓｅｔ／Ｒｓｅｔ／Ｂｓｅｔ／Ｌｓｅｔ）は基準値（Ｔｍｉｎ／Ｒｍｉｎ／Ｂｍｉｎ／Ｌｍｉｎ）よりも大きな値であり、設定値（Ｔｓｅｔ／Ｒｓｅｔ／Ｂｓｅｔ／Ｌｓｅｔ）によって最終的なトナー像が形成される領域Ｃが設定される。このときの余白領域は図３のＦである。
【００３９】
図２に示すように、ユーザは、外部のコンピュータ１１５でアプリケーションを実行して、画像、文書等の画像データを作成して、装置本体１００Ａの制御部１０１へ送信する。制御部１０１は、画像処理部１０３により画像の輪郭の４辺に余白を設定した画像データを生成して画像形成プロセスを実行する。
【００４０】
画像処理部１０３は、図３に示すように、画像（Ｅ）の輪郭に余白Ｆを設定した画像データを生成する。画像処理部１０３は、画像データの画像（Ｅ）の四辺をトリミングして余白Ｆを設定する。画像読取装置２００で読み取った原稿の画像データの場合も、シートサイズに応じた画像（Ｅ）の輪郭の４辺を同様にトリミングして余白Ｆが設定される。画像読取装置２００に読取不可領域として余白領域がある場合も、余白領域を含む画像データとして装置本体１００Ａの都合による余白Ｆが設定される。
【００４１】
画像処理部１０３は、ソート無しモードで使用する余白情報として、シート搬送方向の先端／後端、シート搬送方向の上流側から見た右端／左端の余白量を予め設定されている。予め設定された余白情報は、ソート無しモードの場合に画像に設定される余白である。先端／後端／右端／左端の余白量の設定値をＴｓｅｔ／Ｒｓｅｔ／Ｂｓｅｔ／Ｌｓｅｔとする。
【００４２】
ここで、余白量の設定値（Ｔｓｅｔ／Ｒｓｅｔ／Ｂｓｅｔ／Ｌｓｅｔ）は、シート搬送方向Ｂに関連付けられた余白量なので、画像の回転に追従して回転することはできない。そこで、画像処理部１０３は、後述するように、回転ソートモードでは、奇数部画像と偶数部画像の余白Ｆの上下左右のバランスを考慮して、余白Ｆの幅（Ｔｓｅｔ／Ｒｓｅｔ／Ｂｓｅｔ／Ｌｓｅｔ）を調整する。回転ソートモードでは、ソート無しモードで使用する余白情報に基づいて、奇数部余白と偶数部余白とを作成する。
【００４３】
なお、画像処理部１０３で設定される余白は、外部のコンピュータで作動させたアプリケーションで設定される余白とは本質的に異なる。アプリケーションで１ページの画像の四辺に余白を設定した場合、余白を含むシートサイズの画像データが装置本体１００Ａの制御部１０１に送信される。制御部１０１は、受信した画像データに含まれているアプリケーションの余白を白い画像として扱うので、画像処理部１０３は、アプリケーションで余白が付けられたか否かを認識できない。画像処理部１０３は、余白を含むシートサイズの画像の輪郭の４辺に既にある余白を無視して固有の余白を設定する。
【００４４】
外部から送信された画像データに含まれるアプリケーションで付けた四辺の余白量にオーバーラップさせて余白量（Ｔｓｅｔ／Ｒｓｅｔ／Ｂｓｅｔ／Ｌｓｅｔ）が設定される。原稿Ｇの画像データに元々含まれている余白もアプリケーションで付けた余白と同じ扱いである。余白は、画像データと無関係に画像形成装置１００が設定するため、外部のコンピュータ１１５から余白の情報は取得しない。
【００４５】
（回転ソートモード）
図４は比較例の余白設定方法の説明図である。図４中、（ａ）は基準画像、（ｂ）は基準画像を９０度回転させた画像、（ｃ）は基準画像の位置、（ｄ）は基準画像を９０度回転させた画像の位置である。
【００４６】
図４の（ａ）に示すように、画像形成されたシートＰが向きを揃えて排出トレイ４２に積載され続けると、シート束の区切りが分からなくなり、排出トレイ４２からシート束を取出したり配布したりする際に不便である。このため、画像形成装置１００では、図４の（ａ）、（ｂ）に示すように、一定枚数ごととか、画像形成ジョブごととか、シート束の区切りとかで、シートの向きを９０度回転させてシートの積載を続ける「回転ソートモード」を実行可能である。
【００４７】
図１に示すように、回転ソートモードは、カセット１１ａ、１１ｂに同一サイズで搬送方向を９０度異ならせたシートを収容して実行される。カセット１１ａにＡ４サイズ縦送りのシートが積載され、カセット１１ｂにＡ４サイズ横送りのシートが積載される。回転ソートモードを実行する際には、奇数部の印刷時にはカセット１１ａから給送したシートが使用され、偶数部の印刷時にはカセット１１ｂから給送したシートが使用される。回転ソートモードでは、印刷の偶数部と奇数部とで使用するカセット１１ａ、１１ｂを切り替える。
【００４８】
このとき、図４の（ａ）、（ｂ）に示すように、シート搬送方向の先端及び後端、シート搬送方向に沿った一対の側端にそれぞれの基準値どおりの余白を設定すると、画像の天地を揃えた場合に図４の（ｃ）、（ｄ）に示すように、シートＰの４辺の余白が不揃いになる。奇数部シートと偶数部シートとで、シートＰ上の画像の重心位置がずれてしまう。奇数部シートと偶数部シートとで画像の印象が異なる印刷物が出力されてしまう。
【００４９】
すなわち、比較例の余白設定方法において付与される余白は、画像が回転されても、シート搬送方向を基準にした輪郭の各辺に対して個別に幅を付与されていた。このため、シート方向を９０度異ならせて画像形成された２つのシート束の向きを揃えて観察した場合、図４の（ｃ）、（ｄ）に示すように、輪郭の対応する辺同士の余白の幅が一致せず、見かけの画像の中心位置がずれてしまう。
【００５０】
そこで、実施の形態１では、画像が回転されても２つのシート束の余白の幅がぴったり重なり合うように画像データを画像処理した。これにより、回転ソートモードを行っても、シート上の見かけの画像の位置が一致するようになった。
【００５１】
（実施の形態１の余白設定方法）
図５は実施の形態１の余白設定方法の説明図である。図５中、（ａ）は基準画像、（ｂ）は基準画像を９０度回転させた画像、（ｃ）は基準画像の位置、（ｄ）は基準画像を９０度回転させた画像の位置である。
【００５２】
図１に示すように、実施の形態１では、画像形成装置の一例である装置本体１００Ａは、第１シートの一例である奇数部シートに第１画像の一例である奇数部画像を形成する。第２シートの一例である偶数部シートは、奇数部シートとは搬送方向に対し９０度回転させた状態で搬送される。装置本体１００Ａは、偶数部シートに対して、奇数部画像に対して９０度回転させた状態の偶数部画像を形成する。奇数部シートはカセット１１ａに積載され、偶数部シートはカセット１１ｂに積載される。カセット１１ａ、１１ｂには、同一のＡ４サイズのシートをシートの長手方向が直交するように縦送りと横送りとで収納している。制御部１０１は、回転ソートモードが実行された場合に余白量の設定を行う。回転ソートモードでは、奇数部シートのシート束の出力と偶数部シートのシート束の出力とを交互に行うことでシート間の区切りが分かるようにする。
【００５３】
設定手段の一例である制御部１０１及び画像処理部１０３は、シートの搬送方向を基準とする画像の余白量について、第２画像に対する偶数部シートの余白を、奇数部画像に対する奇数部シートの場合とは９０度回転させた状態で設定する。制御部１０１は、奇数部画像が形成された奇数部シートを９０度回転させて第２画像が形成された偶数部シートと比較したときに、奇数部シートの各辺の余白と偶数部シートの各辺の余白とのうち、少なくとも対応する１辺の余白を等しく設定する。
【００５４】
図２に示すように、記憶手段の一例である記憶部１０２は、図４の（ａ）、（ｂ）に示すように、奇数部シートの各辺について予め決定された余白量を記憶している。設定手段の一例である制御部１０１及び画像処理部１０３は、奇数部画像及び偶数部画像の各辺に余白量を設定する。奇数部シートの各辺について予め決定された余白量と偶数部シートの各辺について予め決定された余白量とは、シート搬送方向に関連付けられている。図４の（ａ）、（ｂ）に示すように、シート搬送方向の先頭の辺、シート搬送方向の後端の辺、シート搬送方向の上流側から見た右端の辺、シート搬送方向の上流側から見た左端の辺について予め決定された余白量は、それぞれ等しい。
【００５５】
制御部１０１は、図４の（ａ）に示すように、記憶部１０２により記憶された奇数部シートの余白量に従って、奇数部シートの各辺の余白を設定する。制御部１０１は、記憶部１０２により記憶された奇数部シートの余白量と、図４の（ｂ）に示すように、奇数部シートの余白量を偶数部シートに対応させた場合の余白量とを比較する。制御部１０１は、図５の（ｃ）、（ｄ）に示すように、奇数部画像が形成された奇数部シートを９０度回転させて第２画像が形成された偶数部シートに対応させたときに対応する辺の余白量のうちで大きい方を偶数部シートの余白量として設定する。制御部１０１は、対応する辺の余白量のうちで大きい方を奇数部シートの余白量として再設定する。
【００５６】
制御部１０１は、図４の（ｃ）、（ｄ）に示すように、奇数部画像と偶数部画像とで画像の方向を一致させたときに重なり合う辺ごとに余白量を比較し、大きいほうの余白量を選択してその辺の余白量とする。制御部１０１は、このような操作を奇数部画像と偶数部画像と４辺で実行する。その結果、図５の（ｃ）、（ｄ）に示すように、奇数部画像と偶数部画像との間で各辺の余白量が等しくなる。これにより、シート上の奇数部画像の位置とシート上の偶数部画像の位置とが等しく感覚されるようになる。
【００５７】
操作手段の一例である表示部１０４は、表面に配置されたタッチパネルを操作して、第１シートの各辺について余白量を予め決定して記憶部１０２に記憶させる操作を実行可能である。画像処理手段の一例である画像処理部１０３は、制御部１０１により設定された余白量に応じて第１画像及び第２画像の各辺をトリミングする。
【００５８】
図５の（ｃ）、（ｄ）に示すように、実施の形態１の余白設定方法では、図４の（ｃ）、（ｄ）に示す比較例の余白設定方法よりも余白が増えて、奇数部画像及び偶数部画像におけるトリミングされる画像面積は増大する。奇数部画像及び偶数部画像の一部がトリミングされて欠けてしまう可能性が高くなる。しかし、図５の（ｃ）、（ｄ）に示すように、シート上の奇数部画像と偶数部画像との位置ずれ、画像位置の偏りは解消されている。縦送りシートと横送りシートとの間でシート上の同じ位置に画像が位置決めされ、シート上の画像の印象が見た目で共通になる。
【００５９】
（回転ソートモード制御）
図６は実施の形態１における回転ソートモード制御のフローチャートである。図２を参照して図６に示すように、ＣＰＵ１１１は、回転ソートモードが選択されると、回転ソートモードを実行する。
【００６０】
ＣＰＵ１１１は、画像読取装置２００によって読み取られた原稿Ｇの画像データ又は外部のコンピュータ１１５から送信された画像データを取得する（Ｓ３０１）。ここでは、複数枚の画像形成に要する画像データを一度に取得しているが、１枚の画像形成毎に１枚分の画像データを取得してもよい。
【００６１】
ＣＰＵ１１１は、奇数部画像には、画像処理部１０３により、奇数部シートの搬送方向に応じた余白を仮設定する（Ｓ３０２）。ＣＰＵ１１１は、偶数部画像には、画像処理部１０３により、偶数部シートの搬送方向に応じた余白を仮設定する（Ｓ３０３）。
【００６２】
ＣＰＵ１１１は、図７に示すように、奇数部画像及び偶数部画像に仮設定された余白を調整して、回転ソートモードの画像形成で用いる偶数部余白と奇数部余白とを設定して（Ｓ３０４）、画像形成を開始する（Ｓ３０５）。ＣＰＵ１１１は、画像処理部１０３により画像と余白とを調整し終わると、画像形成部２０に画像形成処理を指示する（Ｓ３０５）。
【００６３】
ＣＰＵ１１１は、奇数部目に対する画像形成か、偶数部目に対する画像形成かを判断する（Ｓ３０６）。ＣＰＵ１１１は、奇数部目に対する画像形成の場合（Ｓ３０６のＹｅｓ）、図５の（ａ）に示すように、奇数部シートに形成される奇数部画像には回転処理を施さない。そして、余白情報として奇数部余白を指定して（Ｓ３０７）、カセット１１ａを指定する（Ｓ３０８）。
【００６４】
ＣＰＵ１１１は、偶数部目に対する画像形成の場合（Ｓ３０６のＮｏ）、図５の（ｂ）に示すように、偶数部シートに形成される偶数部画像には画像処理部１０３により右回転処理を施す。図２に示すように、画像処理部１０３は、偶数部シートに画像形成する画像データに対して９０度回転の画像処理を施して偶数部画像を取得する（Ｓ３０９）。なお、回転ソートモードの場合、アプリケーションで設定された余白は実画像の一部として９０度回転させるので、回転ソートモード制御で設定される余白量には影響しない。
【００６５】
ＣＰＵ１１１は、余白情報として偶数部余白を指定して（Ｓ３０９）、カセット１１ｂを指定する（Ｓ３１０）。ＣＰＵ１１１は、画像情報、余白情報、カセットの指定等に基づいて部単位で画像形成を実行する（Ｓ３１２）。
【００６６】
ＣＰＵ１１１は、全部数分の画像形成が終了するまで（Ｓ３１３のＮｏ）、奇数部に対する画像形成（Ｓ３０６のＹｅｓ）と偶数部に対する画像形成（Ｓ３０６のＮｏ）とを繰り返す。ＣＰＵ１１１は、全部数分の画像形成が終了すると（Ｓ３１３のＹｅｓ）、回転ソートモードの画像形成を終了する。
【００６７】
（仮設定された余白を調整する制御）
図７は仮設定された余白を調整する制御のフローチャートである。図５に示すように、実施の形態１では、カセット１１ｂから給送される横送りシートの向きに合わせて画像データに右回転処理を施す。このため、図４の（ａ）に示す奇数部画像の余白量（Ｔｓｅｔ／Ｒｓｅｔ／Ｂｓｅｔ／Ｌｓｅｔ）と、図４の（ｂ）に示す奇数部画像に右回転処理を施して偶数部画像を形成する場合に先端／右端／後端／左端になる偶数部画像の余白量（Ｒｓｅｔ／Ｂｓｅｔ／Ｌｓｅｔ／Ｔｓｅｔ）とを比較する。
【００６８】
図２を参照して図７に示すように、ＣＰＵ１１１は、奇数部先端余白量Ｔｓｅｔと偶数部右端余白量Ｒｓｅｔとを比較する（Ｓ３２１）。ＣＰＵ１１１は、ＴｓｅｔがＲｓｅｔ以上である場合、奇数部先端余白量と偶数部右端余白量とを大きい方のＴｓｅｔに統一する（Ｓ３２２）。ＣＰＵ１１１は、ＴｓｅｔがＲｓｅｔ未満である場合、奇数部先端余白量と偶数部右端余白量とを大きい方のＲｓｅｔに統一する（Ｓ３２３）。
【００６９】
ＣＰＵ１１１は、奇数部右端余白量（Ｒｓｅｔ）と偶数部後端余白量（Ｂｓｅｔ）とを比較する（Ｓ３２４）。ＣＰＵ１１１は、ＲｓｅｔがＢｓｅｔ以上である場合、奇数部右端余白量と偶数部後端余白量とを大きい方のＲｓｅｔに統一する（Ｓ３２５）。ＣＰＵ１１１は、ＲｓｅｔがＢｓｅｔ未満である場合、奇数部右端余白量と偶数部後端余白量とを大きい方のＢｓｅｔに統一する（Ｓ３２６）。
【００７０】
ＣＰＵ１１１は、奇数部後端余白量（Ｂｓｅｔ）と偶数部左端余白量（Ｌｓｅｔ）とを比較する（Ｓ３２７）。ＣＰＵ１１１は、ＢｓｅｔがＬｓｅｔ以上である場合、奇数部後端余白量と偶数部左端余白量とを大きい方のＢｓｅｔに統一する（Ｓ３２８）。ＣＰＵ１１１は、ＢｓｅｔがＬｓｅｔ未満である場合、奇数部後端余白量と偶数部左端余白量とを大きい方のＬｓｅｔに統一する（Ｓ３２９）。
【００７１】
ＣＰＵ１１１は、奇数部左端余白量（Ｌｓｅｔ）と偶数部先端余白量（Ｔｓｅｔ）とを比較する（Ｓ３３０）。ＣＰＵ１１１は、ＬｓｅｔがＴｓｅｔ以上である場合、奇数部左端余白量と偶数部先端余白量とを大きい方のＬｓｅｔに統一する（Ｓ３３１）。ＣＰＵ１１１は、ＬｓｅｔがＴｓｅｔ未満である場合、奇数部左端余白量と偶数部先端余白量とを大きい方のＴｓｅｔに統一する（Ｓ３３２）。
【００７２】
このようにして、例えば、設定値（Ｔｓｅｔ／Ｒｓｅｔ／Ｂｓｅｔ／Ｌｓｅｔ）がそれぞれ８ｍｍ／４ｍｍ／２ｍｍ／６ｍｍであるときは、奇数部も偶数部も余白量（Ｔｓｅｔ／Ｒｓｅｔ／Ｂｓｅｔ／Ｌｓｅｔ）を８ｍｍ／４ｍｍ／６ｍｍ／８ｍｍに設定する。
【００７３】
（実施の形態１の効果）
実施の形態１では、回転ソートモードにおいて、直交するシートの双方で画像の輪郭に設定される余白量が異なる可能性があるか否かを判断する。そして、判断に基づいて余白量の再設定を行うことで、双方の画像の余白領域を同一にする。このため、回転ソートモードの縦送りシートと横送りシートとにおけるシート上の画像位置や余白量が揃って、これらの違いによる違和感がなくなる。
【００７４】
実施の形態１では、奇数部シートに形成した奇数部画像と偶数部シートに形成した偶数部画像とで画像の方向を一致させたときの奇数部シートの各辺の余白量と偶数部シートの各辺の余白量とがそれぞれ等しくなるように各辺に余白量を設定する。このため、回転ソートモードの縦送りシートと横送りシートとにおけるシート上の画像位置や余白量が等しく観察されるようになる。
【００７５】
＜実施の形態２＞
実施の形態１では、奇数部シートに形成される奇数部画像に予め設定されている余白量の設定値（Ｔｓｅｔ／Ｒｓｅｔ／Ｂｓｅｔ／Ｌｓｅｔ）に基づいて偶数部シートに形成される偶数部画像の余白量を設定した。しかし、図３に示すように、余白量の設定値（Ｔｓｅｔ／Ｒｓｅｔ／Ｂｓｅｔ／Ｌｓｅｔ）では、画像形成不可領域Ｄよりも大きい余白Ｆが設定される。このため、奇数部画像と偶数部画像との両方に対して、不必要に大きな余白量が設定され、不必要に輪郭の画像がトリミングされる可能性がある。そこで、実施の形態２では、図３に示す画像形成不可領域Ｄの基準値（Ｔｍｉｎ／Ｒｍｉｎ／Ｂｍｉｎ／Ｌｍｉｎ）に合わせて奇数部画像と偶数部画像の余白量を最小値に設定している。上述したように、基準値は、工場出荷値で、ユーザによる変更は不可能な最小値である。
【００７６】
（実施の形態２の余白設定方法）
実施の形態２では、画像形成装置、カセット、シート等は実施の形態１と同一であって、奇数部画像と偶数部画像とに仮設定される各辺の余白量のみが異なる。このため、各辺の余白量の仮設定に関する以外の構成及び制御に関する重複した説明を省略する。
【００７７】
図２を参照して図３に示すように、制御部１０１は、奇数部画像の画像形成不可領域Ｄとして、シート搬送方向の先端及び後端とシート搬送方向に沿った左右の側端とに対し個別に基準値（Ｔｍｉｎ／Ｒｍｉｎ／Ｂｍｉｎ／Ｌｍｉｎ）を保持している。
【００７８】
制御部１０１は、画像処理部１０３により、偶数部画像におけるシート搬送方向の先端及び後端とシート搬送方向に沿った左右の側端とに対して基準値に合わせた余白量（Ｔｍｉｎ／Ｒｍｉｎ／Ｂｍｉｎ／Ｌｍｉｎ）を設定する。
【００７９】
制御部１０１は、図４の（ｃ）、（ｄ）に示すように、奇数部画像と偶数部画像とで画像の方向を一致させたときに重なる辺ごとに余白量（基準値）を比較し、大きいほうの余白量（基準値）を選択してその辺の余白量とする。このような操作を奇数部画像と偶数部画像の各辺について実行することにより、図５の（ｃ）、（ｄ）に示すように、奇数部画像と偶数部画像との間で各辺の余白量を等しくする。以下では、図７の設定値（Ｔｓｅｔ／Ｒｓｅｔ／Ｂｓｅｔ／Ｌｓｅｔ）をそれぞれ基準値（Ｔｍｉｎ／Ｒｍｉｎ／Ｂｍｉｎ／Ｌｍｉｎ）に読み替えて余白の設定方法を説明する。
【００８０】
図２を参照して図７に示すように、ＣＰＵ１１１は、奇数部先端基準値Ｔｍｉｎと偶数部右端基準値Ｒｍｉｎとを比較する（Ｓ３２１）。ＣＰＵ１１１は、ＴｍｉｎがＲｍｉｎ以上である場合、奇数部先端基準値と偶数部右端基準値とを大きい方のＴｍｉｎに統一する（Ｓ３２２）。ＣＰＵ１１１は、ＴｍｉｎがＲｍｉｎ未満である場合、奇数部先端基準値と偶数部右端基準値とを大きい方のＲｍｉｎに統一する（Ｓ３２３）。
【００８１】
ＣＰＵ１１１は、奇数部右端基準値（Ｒｍｉｎ）と偶数部後端基準値（Ｂｍｉｎ）とを比較する（Ｓ３２４）。ＣＰＵ１１１は、ＲｍｉｎがＢｍｉｎ以上である場合、奇数部右端基準値と偶数部後端基準値とを大きい方のＲｍｉｎに統一する（Ｓ３２５）。ＣＰＵ１１１は、ＲｍｉｎがＢｍｉｎ未満である場合、奇数部右端基準値と偶数部後端基準値とを大きい方のＢｍｉｎに統一する（Ｓ３２６）。
【００８２】
ＣＰＵ１１１は、奇数部後端基準値（Ｂｍｉｎ）と偶数部左端基準値（Ｌｍｉｎ）とを比較する（Ｓ３２７）。ＣＰＵ１１１は、ＢｍｉｎがＬｍｉｎ以上である場合、奇数部後端基準値と偶数部左端基準値とを大きい方のＢｍｉｎに統一する（Ｓ３２８）。ＣＰＵ１１１は、ＢｍｉｎがＬｍｉｎ未満である場合、奇数部後端基準値と偶数部左端基準値とを大きい方のＬｍｉｎに統一する（Ｓ３２９）。
【００８３】
ＣＰＵ１１１は、奇数部左端基準値（Ｌｍｉｎ）と偶数部先端基準値（Ｔｍｉｎ）とを比較する（Ｓ３３０）。ＣＰＵ１１１は、ＬｍｉｎがＴｍｉｎ以上である場合、奇数部左端基準値と偶数部先端基準値とを大きい方のＬｍｉｎに統一する（Ｓ３３１）。ＣＰＵ１１１は、ＬｍｉｎがＴｍｉｎ未満である場合、奇数部左端基準値と偶数部先端基準値とを大きい方のＴｍｉｎに統一する（Ｓ３３２）。
【００８４】
このようにして、例えば、基準値Ｔｍｉｎ、Ｂｍｉｎが１ｍｍ、基準値Ｒｍｉｎ／Ｌｍｉｎが２ｍｍであるとき、Ｔｓｅｔ、Ｂｓｅｔは２ｍｍ、Ｒｓｅｔ、Ｌｓｅｔは２ｍｍに設定される。
【００８５】
（実施の形態２の効果）
実施の形態２では、奇数部シートに形成される奇数部画像に予め設定されている余白量の最小値である基準値（Ｔｍｉｎ／Ｒｍｉｎ／Ｂｍｉｎ／Ｌｍｉｎ）に基づいて偶数部シートに形成される偶数部画像の余白量を設定した。これによって、不必要に大きな余白量が設定されるのを防ぎ、奇数部画像と偶数部画像のトリミング量を最小限にすることができる。
【００８６】
＜実施の形態３＞
実施の形態１では、制御部１０１が記憶部１０２に保持したソート無しモードの余白量の設定値（Ｔｓｅｔ／Ｒｓｅｔ／Ｂｓｅｔ／Ｌｓｅｔ）に基づいて回転ソートモードの余白量を自動的に設定した。しかし、余白量としてトリミングされる領域が画像として重要である場合もある。
【００８７】
そこで、実施の形態３では、余白量が基準値を超えて拡張される場合にはトリミングするか否かをユーザが選択できるようにした。選択手段の一例である表示部１０４は、タッチパネルにより、制御部１０１による余白量の設定を行うかどうかを選択することができる。
【００８８】
（実施の形態３の余白設定方法）
図８は実施の形態３における表示部の表示内容の説明図である。実施の形態２では、画像形成装置、カセット、シート等は実施の形態１と同一であって、奇数部画像と偶数部画像とに仮設定される各辺の余白量は実施の形態２と同一である。このため、トリミングするか否かの選択に関する以外の構成及び制御に関する重複した説明を省略する。
【００８９】
図２に示すように、制御部１０１は、奇数部シートに形成した奇数部画像と偶数部シートに形成した偶数部画像とで画像の方向を一致させたときに対応する辺の余白量のうちで大きい方を当該辺の余白量として設定する。余白量を調整すると重要な部分がトリミングされる可能性があるため、表示部１０４を通じて余白量の調整を行うかどうかを選択する図８の表示を通知する。変更手段の一例である制御部１０１は、表示部１０４を通じた通知に応じて「はい」（調整を行う）の操作が行われたときに当該辺の余白量を変更する。「いいえ」（調整を行わない）の操作が行われた場合は、余白量を変更せずに画像形成を行う。
【００９０】
図８に示すように、表示部１０４において文字表示でユーザに通知し、表示部１０４に重ねて設けたタッチパネルを操作して、ユーザが余白情報の再設定を行うか行わないかを選択操作できるようにする。
【００９１】
＜その他の実施の形態＞
本発明の画像形成装置は、実施の形態１で説明した具体的な構成には限定されない。実施の形態１の構成の一部又は全部を等価な部材に置き換えた別の実施の形態でも実施可能である。実施の形態１では、電子写真方式の画像形成装置の実施形態を説明した。しかし、インクジェット方式、熱転写方式、レーザー描画方式、プロッタ方式、オフセット印刷等、他の方式の画像形成部装置で実施してもよい。画像形成装置は、複写機には限らず、プリンタ、ファックス、複合機等、他の画像形成装置の実施形態で実施してもよい。
【００９２】
シートの給送はカセット１１ａ、１１ｂには限らない。手差しトレイ１６、外部カセット、外部デッキ、他の画像形成装置をシート供給源に含めても良い。カセット１１ａから取り出されるシートを９０度回転して転写部Ｎ１へ給送してもよい。
【００９３】
実施の形態１では、シートサイズと同一の大きさの画像の輪郭をトリミングして余白量を画像に設定した。しかし、確保した４辺の余白量の内側にシートサイズと同一の大きさの画像をぴったり収めるようにシート搬送方向及び幅方向の画像の縮小と平行移動とを行ってもよい。
【００９４】
実施の形態１では、画像形成装置１００の制御部１０１及び画像処理部１０３における設定工程を有する余白設定方法を説明した。しかし、コンピュータの一例である外部のコンピュータ１１５において、画像形成装置１００から取得した余白情報に基づいて設定工程を実行してもよい。
【００９５】
また、本発明の余白設定方法は、回転ソートモードを実行する画像形成装置での実施には限定されない。各カセットに収納されているシートの残量が予め分かっており、カセットを切り替えながら画像形成を行う場合でも、シートの搬送方向が変わることが予め分かれば本発明の余白の設定方法を実施することができる。本発明の余白の設定方法を実施することで、縦送りしたシートと横送りしたシートにおけるシート上の画像位置や余白量が揃って、これらの違いによる違和感を低減することができる。
【００９６】
また、画像形成開始後、途中で使用するカセットを変更した場合にシートの搬送方向が変わる場合、すでに画像形成したシートの余白を変えることはできない。しかし、これから画像形成するシートの少なくとも１辺の余白をすでに画像形成したシートの対応する１辺の余白と揃えることで、縦送りしたシートと横送りしたシートの余白の違いによる違和感を低減することができる。
【符号の説明】
【００９７】
１０：シート給送部、１１ａ：カセット、１１ｂ：カセット、２０：画像形成部、３０：定着装置、４０：シート排出部、５０：シート再給送部、１０１：制御部、１０２：記憶部、１０３：画像処理部、１０４：表示部、１１１：ＣＰＵ、１１２：ＲＡＭ、１１３：ＲＯＭ、Ｄ：画像形成不可領域、Ｐ：シート
【図１】
2018043376.tif 000003
【図２】
2018043376.tif 000004
【図３】
2018043376.tif 000005
【図４】
2018043376.tif 000006
【図５】
2018043376.tif 000007
【図６】
2018043376.tif 000008
【図７】
2018043376.tif 000009
【図８】
2018043376.tif 000010